(57)【要約】【目的】  車載機のディスプレイ装置に着信メールを表示する際、隣の搭乗者に見られないようにする「車載機及びそのメール表示方法」を提供することである。  【構成】  ディスプレイ装置に着信メールを表示する車載機のメール表示方法において、助手席から見ることができない運転者用の映像と運転席から見ることができない助手席搭乗者用の映像を１つの画面に表示する表示装置(デュアル・ビュー表示装置)を設け、運転者または助手席搭乗者が着信メールの表示を要求したとき、該要求した者を識別し、該メール要求者の携帯電話機に着信しているメールを受信して該メールを他方の者が見ることができないように表示装置に表示する。【選択図】        図１
2006301830.tif 000002
【特許請求の範囲】
【請求項１】
ディスプレイ装置に着信メールを表示する車載機において、
助手席から見ることができない運転者用の映像と運転席から見ることができない助手席搭乗者用の映像を１つの画面に表示する表示装置、
運転者及び助手席搭乗者の一方が着信メールの表示を要求したとき、メール要求者を識別するメール要求者識別部、
該メール要求者の携帯電話機に着信しているメールを他方の者が見ることができないように前記表示装置に表示する制御部、
を備えたことを特徴とする車載機。
【請求項２】
前記メール要求者識別部は、座席と携帯電話機の電話番号の対応を記憶し、携帯電話機を介して入力する着信メールに付加されている電話番号に基づいてメール要求者を識別する、
ことを特徴とする請求項１記載の車載機。
【請求項３】
ディスプレイ装置に着信メールを表示する車載機のメール表示方法において、
助手席から見ることができない運転者用の映像と運転席から見ることができない助手席搭乗者用の映像を１つの画面に表示する表示装置を設け、
運転者または助手席搭乗者が着信メールの表示を要求したとき、メール要求者を識別し、
該メール要求者の携帯電話機に着信しているメールを受信して該メールを他方の者が見ることができないように前記表示装置に表示する、
ことを特徴とする車載機のメール表示方法。
【請求項４】
運転者所持の携帯電話機の電話番号と助手席搭乗者が所持する携帯電話機の電話番号を取得して記憶し、
携帯電話機を介して入力する着信メールに付加されている電話番号に基づいてメール要求者を識別する、
ことを特徴とする請求項３記載の車載機のメール表示方法。
【発明の詳細な説明】
【技術分野】
【０００１】
本発明は車載機及びそのメール表示方法に係わり、特に運転者及び助手席搭乗者の携帯電話機に着信したメールをディスプレイ装置に表示する車載機およびそのメール表示方法に関する。
【背景技術】
【０００２】
車載機はインテリジェント機能を備え、ハンズフリー機能（自動車電話機能）や車載ナビゲーション機能、オーディオ機能等を備えている。ハンズフリー機能によれば、車載機の操作キーを操作して車内より発呼すれば、携帯電話機、無線基地局、公衆電話網を介して相手先電話機に接続して相手とハンズフリーで通話でき、また、外部の電話機からの着信に応答して相手とハンズフリーで電話できる。また、車載機はインタネットブラウザを用いてブラウジングやインターネット経由でメール送受信する機能を備えている。図３は車載機のインターネット通信機能の説明図であり、自動車1に車載機２が搭載されている。この車載機２の載置台に携帯電話機（MS）３を載置すれば、車載機２は、携帯電話機３、基地局（BS）４、一般通信網５を介してインターネットサービスプロバイダ（ＩＳＰ）６にダイヤルアップ接続し、しかる後、インターネット７にアクセス可能になる。なお、最近の車載機では、Bluetoothにより車載機と携帯電話機間を無線リンクで接続し、無線で通信するようになっている(たとえば特許文献１参照)。このインターネット通信機能により、車載機は情報センター８にアクセスして該情報センターより所望の情報を閲覧、取得してディスプレイ装置に表示することができ、また、メールサーバ９にメール配信を要請することにより、メールボックス１０に保存されている自己宛のメールをダウンロードにより取得してディスプレイ装置に表示できる。
ところで、従来は車載機のディスプレイ画面にメールを表示すると、運転席、助手席に関係なく該メールを見ることが出来、プライバシー面での問題が発生している。このため、助手席の搭乗者は、メールを車載機のディスプレイ画面に表示せず、ゆれる車内で携帯の小さな画面でメール受信を行っており、不便であった。  以上より、メールを他人に見られないようにする技術が要望されているがそのような技術はまだ提案されていない。なお、１つの画面で左右の者が違った映像を見ることができる液晶表示パネルの技術はあるが（特許文献2参照）、かかる技術を車載機のメール表示に利用することは行われていない。
【特許文献１】特開２００２−１７６４８６号公報
【特許文献２】特開２００４−１３９０５４号公報
【発明の開示】
【発明が解決しようとする課題】
【０００３】
以上から本発明の目的は、車載機のディスプレイ装置に着信メールを表示する際、隣の搭乗者に見られないようにすることである。
【課題を解決するための手段】
【０００４】
上記課題は本発明によれば、助手席から見ることができない運転者用の映像と運転席から見ることができない助手席搭乗者用の映像を１つの画面に表示する表示装置、運転者及び助手席搭乗者の一方が着信メールの表示を要求したとき、メール要求者を識別するメール要求者識別部、該メール要求者の携帯電話機に着信しているメールを他方の者が見ることができないように前記表示装置に表示する制御部を備えた車載機により達成される。
また、上記課題は本発明によれば、ディスプレイ装置に着信メールを表示する車載機のメール表示方法において、助手席から見ることができない運転者用の映像と運転席から見ることができない助手席搭乗者用の映像を１つの画面に表示する表示装置を設け、運転者または助手席搭乗者が着信メールの表示を要求したとき、メール要求者を識別し、該メール要求者の携帯電話機に着信しているメールを受信して該メールを他方の者が見ることができないように前記表示装置に表示する車載機のメール表示方法により達成される。
【発明の効果】
【０００５】
本発明によれば、運転者または助手席搭乗者が着信メールの表示を要求したとき、メール要求者を識別し、該メール要求者の携帯電話機に着信しているメールを受信して該メールを他方の者が見ることができないように車載機の表示装置に表示するから、プライバシーを維持したまま、携帯の画面に比較して大画面の車載ディスプレイ装置でメールを見ることができる。
【発明を実施するための最良の形態】
【０００６】
ディスプレイ装置に着信メールを表示する車載機のメール表示方法において、助手席から見ることができない運転者用の映像と運転席から見ることができない助手席搭乗者用の映像を１つの画面に表示する表示装置を設け、運転者または助手席搭乗者が着信メールの表示を要求したとき、メール要求者を識別し、該メール要求者の携帯電話機に着信しているメールを受信して該メールを他方の者が見ることができないように前記表示装置に表示する。メール要求者の識別は、運転者所持の携帯電話機の電話番号と助手席搭乗者が所持する携帯電話機の電話番号を予め取得して記憶しておき、携帯電話機を介して入力する着信メールに付加されている電話番号に基づいてメール要求者を識別する。
【実施例１】
【０００７】
図１は本発明の車載機の構成図であり、車載機５0は２台の携帯電話機６０a，６０bと例えばBluetooth等の無線リンクを介して通信可能に構成されている。すなわち、車載機５０と各携帯電話機６０a，６０bにBluetooth機器を組み込み、Bluetoothプロトコルにしたがって車載機５０と各携帯電話機６０a，６０b間で通信できるようになっている。
Bluetoothは移動体と固定体、あるいは移動体と移動体の電子装置間のケーブル代替を意図した無線リンクである。Bluetooth通信において、マスターは通信したい時、周辺にどのようなスレーブが存在するかをIQパケットによりInquiry（問い合わせ）を行ない、各スレーブはFHSパケットでコネクション確立に必要なBluetoothデバイス・アドレスやクロック情報をマスターに応答する。すなわち、Inquiryすることで該Inquiryに応答する全てのスレーブのデバイス・アドレスやクロック情報を収集することができる。なお、Bluetoothデバイス・アドレスは全てのBluetooth機器に与えられる一意のアドレスである。しかる後、マスターは選択した所定スレーブのBluetoothデバイス・アドレス及びクロック情報を使ってPageという処理を行なって該スレーブと実際にコネクションを確立し、データの送受を行なう。
【０００８】
車載機５０において、電話機インターフェース５１はマスターとしてのBluetooth機器５１aを内蔵し、各携帯電話機６０a,６０bにおけるスレーブとしてのBluetooth機器と通信を行うと共に、携帯電話機６０a,６０bと制御部５２との間の通信インターフェース機能を実行する。また、電話機インターフェース５１は、運転席及び助手席における着座を着座センサー５1ｂからの信号により検出し、座席と携帯電話番号の対応を取得して制御部５２に通知する。すなわち、運転席に運転者が着座すると運転席着座信号が電話機インターフェース５１に入力するから、この運転席着座信号に基づいてBluetooth機器５１aは自動車内の携帯電話機のBluetooth機器と通信を行って新たな携帯電話機の電話番号を取得し、該電話番号を運転者の電話番号として制御部５２に通知し、制御部５２は運転席と携帯電話番号の対応を内蔵のメモリ５２aに記憶する。同様に、助手席に搭乗者が着座すると助手席着座信号が電話機インターフェース５１に入力するから、助手席着座信号に基づいてBluetooth機器５１aは自動車内の携帯電話機のBluetooth機器と通信を行って新たな携帯電話機の電話番号を取得し、該電話番号を助手席搭乗者の電話番号として制御部５２に通知し、制御部５２は助手席と携帯電話番号の対応を内蔵のメモリ５２aに記憶する。
【０００９】
制御部５２は車載機全体を制御すると共に、携帯電話機６０a，６０bから受信したメール(メール本文、PDFなどの添付ファイル)を、該携帯電話機の所持者のみが見えるようにデュアル・ビュー表示装置５３に入力して表示する。例えば、携帯電話機６０aが運転者所有の携帯電話機であり、該携帯電話機６０aより電話機インターフェース５１を介して電話番号つきのメールメッセージを受信すれば、制御部は該電話番号より運転者の携帯電話機に着信したメールメッセージであると判定し、運転者のみが見えるようにデュアル・ビュー表示装置５３にメールメッセージを表示する。また、携帯電話機６０ｂが助手席搭乗者所有の携帯電話機であり、該携帯電話機６０ｂより電話機インターフェース５１を介して電話番号つきのメールメッセージを受信すれば、制御部は該電話番号より助手席搭乗者の携帯電話機に着信したメールメッセージであると判定し、助手席搭乗者所有のみが見えるようにデュアル・ビュー表示装置５３にメールメッセージを表示する。
【００１０】
デュアル・ビュー表示装置５３は、運転席から見ることができない助手席搭乗者用の第１の映像と、助手席から見ることができない運転者用の第２の映像とを１つの画面に同時に表示できるようになっている。図２はかかるデュアル・ビュー表示装置の説明図であり、白黒表示の例である。なお、説明の都合で水平方向のピクセル数を８個としている。映像信号を表示する液晶デバイスなどの表示体２１は、ピクセルが行および列方向に連続的に配列されており、各ピクセルは左側観察者用(助手席用)の第１の映像を表示する第1のサブピクセ２１Ｌと、右側観察者用(運転席用)の第２の映像を表示する第２のサブピクセル２１Ｒとで構成され、これら第1、第２のサブピクセル２１Ｌ，２１Ｒは水平方向に交互に配列するようになっている。レンチキュラーレンズ２２は表示体２１から適正距離上に配置され、左右両観察領域２３Ｌ，２３Ｒの方向に、助手席用の第１の映像、および運転席用の第２の映像をそれぞれ結像するようになっている。
第１の映像出力部２４は助手席用の第１の映像データを発生し、第２の映像出力部２５は運転席用の第２の映像データを発生し、表示データ処理部２６は、第1、第２の映像データを処理し、第１の映像データにより表示体２１の第1のサブピクセル２１Ｌをラスタースキャン駆動し、第２の映像データにより表示体の第２のサブピクセル２１Rをラスタースキャン駆動するようになっている。この結果、表示体２1の第1サブピクセル２１Ｌに第1の映像が表示され、第２サブピクセル２１Ｒに第２の映像が表示され、レンチキュラーレンズ２２の作用で、左側観察領域２３Ｌの観察者である助手席搭乗者は第1サブピクセル２１Ｌに表示された第1の映像を見ることができ、右側観察領域２３Ｒの観察者である運転者は第２サブピクセル２１Ｒに表示された第２の映像を見ることができる。
【００１１】
図１に戻って、デュアル・ビュー表示装置５３は、制御部５２からの指示に従って運転者の携帯電話機６０aに着信したメールメッセージを運転者のみが見えるように表示し、助手席搭乗者の携帯電話機６０ｂに着信したメールメッセージを助手席搭乗者のみが見えるように表示する。操作キー部５４は各種キーデータ、コマンドを入力し、ナビゲーションユニット５５は車両ナビゲーション制御を実行し、ハンズフリーユニット５６はハンズフリー電話制御を行い、オーディオユニット５７はオーディオ制御を行う。なお、これら各ユニット５５〜５６は本発明と関係がないので詳細な説明は省略する。
【００１２】
携帯電話機６０a，６０bにメールが届いている状態において、携帯電話機６０aでメール受信操作を行うとメールサーバ(図示せず)からメールが携帯電話機６０aに送られてくる。携帯電話機６０aは該メールメッセージを自分の表示部DPLに表示すると共に、電話番号を付して該メールメッセージをBluetooth通信により車載機５０に送信する。電話機インターフェース５１は該電話番号付きメールメッセージを制御部５２に入力する。制御部５２はメモリ５２aに記憶されている電話番号と座席の対応関係より運転者の携帯電話機のメールメッセージであると判定し、メールメッセージを運転者のみが見えるようにデュアル・ビュー表示装置５３に表示する。
また、携帯電話機６０bでメール受信操作を行うとメールサーバからメールが携帯電話機６０bに送られてくる。携帯電話機６０bは該メールメッセージを自分の表示部DPLに表示すると共に、電話番号を付して該メールメッセージをBluetooth通信により車載機５０に送信する。電話機インターフェース５１は該電話番号付きメールメッセージを制御部５２に入力する。制御部５２はメモリ５２aに記憶されている電話番号と座席の対応関係より助手席搭乗者の携帯電話機のメールメッセージであると判定し、メールメッセージを助手席搭乗者のみが見えるようにデュアル・ビュー表示装置５３に表示する。
【００１３】
以上では着座センサーの検出信号を用いて座席と電話番号の対応を記憶し、メールが運転席用のメールであるか、助手席用のメールであるかを判断しているが、別の方法により判断することもできる。例えば、運転者の携帯電話番号を予め制御部５２のメモリに記憶しておき、該携帯電話番号以外の電話番号は助手席搭乗者の電話番号とみなして、メールが運転席用のメールであるか、助手席用のメールであるかを判断することができる。
以上、本発明によれば、車載機のディスプレイ装置に着信メールを表示する際、隣の搭乗者に見られないようにできる。
【図面の簡単な説明】
【００１４】
【図１】本発明の車載機の構成図である。
【図２】デュアル・ビュー表示装置の説明図である。
【図３】車載機のインターネット通信機能の説明図である。
【符号の説明】
【００１５】
５０  車載機
５１  電話機インターフェース
５１a  Bluetooth機器
５１b  着座センサー
５２  制御部
５２a  メモリ
５３  デュアル・ビュー表示装置
５４  操作キー部
６０a，６０b  携帯電話機
【図１】
2006301830.tif 000003
【図２】
2006301830.tif 000004
【図３】
2006301830.tif 000005